(57)【要約】      （修正有）【課題】植木鉢を写真立てとして利用することができ、毎日のメンテナンスが極めて容易に行え、植木鉢の上からでも下からでも水遣りを行うことが可能で、植木鉢の形状も任意に選択することができる植木鉢を提供する。【解決手段】植木鉢本体の側面を透明カバー２で覆う。該透明カバー２の内側に写真Ｐ、絵、カード等を収納するように構成する。植木鉢本体は略筒状に形成する。該植木鉢本体底部の外周囲に連結フランジ３を設ける。該連結フランジ３に前記透明カバー２の下端部を密着状態で載置せしめる。該透明カバー２の上端部から植木鉢本体の上端部方向に突出する密封フランジ４を形成する。該密封フランジ４を植木鉢本体の上端部に密着状態で接するように形成する。【選択図】図１
0003157992.tif 000002
【実用新案登録請求の範囲】
【請求項１】
有底筒状を成した植木鉢本体の側面を透明カバーで覆い、該透明カバーの内側に写真、絵、カード等を収納するように構成したことを特徴とする植木鉢。
【請求項２】
前記植木鉢本体底部の外周囲に張り出す連結フランジが設けられ、該連結フランジに前記透明カバーの下端部を密着状態で載置せしめると共に、該透明カバーの上端部から植木鉢本体の上端部方向に突出し、該植木鉢本体の上端部に密着状態で接する密封フランジを形成した請求項１記載の植木鉢。
【請求項３】
前記連結フランジの内周に連結ネジが形成され、該連結ネジにネジ止めする水受け皿を設け、該水受け皿の側面に水受け皿内部の水の量を確認する透明な除き窓を形成すると共に、該水受け皿の外周と前記連結フランジの外周とに夫々ロック表示を設け、これらロック表示の位置を合わせることで水受け皿の密封状態を示すように構成した請求項１又は２記載の植木鉢。
【請求項４】
前記水受け皿から前記植木鉢本体の底部に開穿した水抜き孔を貫通せしめる導水材を配設し、該水受け皿からの底面給水を選択自在とした請求項１乃至３いずれか記載の植木鉢。
【考案の詳細な説明】
【技術分野】
【０００１】
本考案は、植木鉢の側面を写真立てやメッセージカード入れ等として利用することができる植木鉢に関するものである。
【背景技術】
【０００２】
従来、植木鉢の鉢カバーにカードや写真などを着脱できるように設けた植木鉢収納体が提案されている（特許文献１）。この鉢カバーでは、内壁と外壁との二層構造の鉢カバーを形成したもので、この内壁と外壁との間に、写真を収納する展示フレームを収納し、この鉢カバーの内側に植木鉢を収納する構成になっている。
【先行技術文献】
【特許文献】
【０００３】
【特許文献１】特開２００２−３４５６１３号公報
【考案の概要】
【考案が解決しようとする課題】
【０００４】
ところが、この鉢カバーは、二層構造に形成されている内壁と外壁との間に展示フレームを収納するので、実質三層構造になっている。しかも、展示フレームには、略コの字状の爪の内側に写真等を納める構造なので、収納される写真等は、この展示フレームを介して、鉢カバーの内壁と外壁との間に収納されることになる。したがって、特許文献１の鉢カバーは、極めて多くの層が重ねられた複雑な多層構造になっており、毎日の手入れが必要な植木鉢のカバーとして使用する際に、鉢カバーのメンテナンスに手間を要する不都合があった。
【０００５】
すなわち、植木鉢の植物には、日々水遣りが行われるが、この水は、植木鉢の底から排出される。この水が鉢カバーの底部に溜まると、多層構造になっている鉢カバーの中に毛細管現象等で侵入するおそれがある。一方、鉢カバー内の湿度が高くなると、写真に退色や変色が生じるおそれがあり、最悪の場合、写真にカビ等が発生してしまう可能性もある。したがって、この鉢カバーは、植木鉢の手入れとは別途に、鉢カバーに対するメンテナンスも必要になる。
【０００６】
しかも、植木鉢には、植木鉢の上から水遣りするタイプと、植木鉢の底部から水遣りするタイプとがある。この植木鉢の底部から水遣りする所謂底面給水では、植木鉢の移動時に水受け皿に溜めた水がこぼれないようにしたり、水受け皿の水を乾燥し難くしたりする必要がある。
【０００７】
ところが、特許文献１の鉢カバーでは、引き出しタイプの水受け皿を採用しているので、植木鉢の底部から流れる排水を受けることはできても、植木鉢の移動時に水受け皿に溜めた水がこぼれるおそれがあり、底面給水には適さない構造になっている。
【０００８】
そこで、本考案は係る課題を解決すべく案出されたもので、植木鉢を写真立てとして利用することができ、毎日のメンテナンスが極めて容易に行え、植木鉢の上からでも下からでも水遣りを行うことが可能な植木鉢の提供を目的とするものである。
【課題を解決するための手段】
【０００９】
上述の目的を達成すべく本考案における第１の手段は、有底筒状を成した植木鉢本体１の側面を透明カバー２で覆い、該透明カバー２の内側に写真Ｐ、絵、カード等を収納するように構成したことにある。
【００１０】
第２の手段は、前記植木鉢本体１底部の外周囲に張り出す連結フランジ３が設けられ、該連結フランジ３に前記透明カバー２の下端部を密着状態で載置せしめると共に、該透明カバー２の上端部から植木鉢本体１の上端部方向に突出し、該植木鉢本体１の上端部に密着状態で接する密封フランジ４を形成したものである。
【００１１】
第３の手段は、前記連結フランジ３の内周に連結ネジ５が形成され、該連結ネジ５にネジ止めする水受け皿６を設け、該水受け皿６の側面に水受け皿６内部の水の量を確認する透明な除き窓８を形成すると共に、該水受け皿６の外周と前記連結フランジ３の外周とに夫々ロック表示７を設け、これらロック表示７の位置を合わせることで水受け皿６の密封状態を示すように構成したことにある。
【００１２】
第４の手段は、該水受け皿６から前記植木鉢本体１の底部に開穿した水抜き孔９を貫通せしめる導水材１０を配設し、該水受け皿６からの底面給水を選択自在としたことを課題解消のための手段とする。
【考案の効果】
【００１３】
本考案の請求項１により、植木鉢本体１の側面を透明カバー２で覆い、該透明カバー２の内側に写真Ｐ、絵、カード等を収納するように構成したことで、植木鉢本体１の側面を写真立てやメッセージカード入れ等として利用することができる。この結果、例えば種から花に成長する過程の写真や、野菜なら生産地の写真などを入れて、学校教材等として利用できる。また、家族等や知り合いの写真を入れたり、メッセージカードを入れたりすることで、プレゼントとして利用することも可能である。
【００１４】
請求項２によると、透明カバー２内の写真Ｐは、連結フランジ３や密封フランジ４にて機密性を保たれるので、透明カバー２の内側に写真Ｐ等を収納したままでも、植木鉢本体１に植えた植物の手入れを通常通りにすることができる。しかも、透明カバー２に特別なメンテナンスの必要もない。
【００１５】
請求項３に記載の如く、連結ネジ５にネジ止めする水受け皿６を設けたことで、植木鉢本体１を移動する場合でも、水受け皿に溜めた水がこぼれるおそれはなくなった。また、該水受け皿６側面の除き窓８により、水受け皿６の水量を常に確認することができる。更に、該水受け皿６の外周と前記連結フランジ３の外周とに夫々ロック表示７を設けているので、水受け皿６を確実に密封することができる。この結果、水受け皿６が植木鉢本体１と一体になり、室内でも安全な使用ができ、毎日のメンテナンスも極めて容易に行えるものである。
【００１６】
請求項４により、水受け皿６からの底面給水を選択自在としたことで、植木鉢の上からでも下からでも水遣りを行うことが可能になる。この結果、特許文献１のように、植木鉢で育成する植物が給水手段で制限されるといった不都合もなくなった。
【図面の簡単な説明】
【００１７】
【図１】本考案の一実施例の使用状態を示す縦断面図である。
【図２】本考案の一実施例を示す分解斜視図である。
【図３】本考案の一実施例を示す斜視図である。
【考案を実施するための形態】
【００１８】
このように本考案によると、植木鉢を写真立てとして利用することができ、毎日のメンテナンスが極めて容易に行え、植木鉢の上からでも下からでも水遣りを行うことが可能になるといった当初の目的を実現した。
【実施例】
【００１９】
以下、本考案を図示例に基づいて説明する。本考案植木鉢は、植木鉢本体１の側面を透明カバー２で覆い、該透明カバー２の内側に写真Ｐ、絵、カード等を収納するように構成したものである（図２参照）。
【００２０】
植木鉢本体１は有底筒状を成し、該底部に水抜き孔９を開穿し、更に底部の外周囲に張り出す連結フランジ３が設けられている。そして、植木鉢本体１に被せた透明カバー２の下端部を、この連結フランジ３の上に密着状態で載置する（図１参照）。図示例では、透明カバー２を連結フランジ３に載置するだけの構造であるが、透明カバー２を連結フランジ３上にネジ止めする構成にすることで、透明カバー２の機密性をより高めることも可能である（図示せず）。
【００２１】
一方、透明カバー２の上端部には、該上端部から植木鉢本体１の上端部方向に突出して、植木鉢本体１の上端部に密着状態で接する密封フランジ４を形成している（図１参照）。この密封フランジ４により、植木鉢本体１と透明カバー２との隙間を塞ぎ、隙間に収納した写真Ｐを保護するものである。図示例の密封フランジ４は、透明カバー２の上端部から略水平方向に延長されているが、密封フランジ４の先端部を屈曲して植木鉢本体１の上端部内側に向く密封フランジ４を形成することで、より高い防水効果を得ることができる（図示せず）。
【００２２】
連結フランジ３の内周には連結ネジ５が形成され、該連結ネジ５にネジ止めする水受け皿６を設けている（図１参照）。この水受け皿６には、側面に水受け皿６内部の水の量を確認する透明な除き窓８を形成しており、水受け皿６に溜まった水の量を目視で確認できるように構成している（図２参照）。図示の除き窓８は、略丸形状を成しているが、この除き窓８の形状や大きさは任意に変更することが可能である。
【００２３】
水受け皿６が植木鉢本体１の課端部に確実に装着していることを確認するために、ロック表示７を設けている（図２参照）。このロック表示７は、該連結フランジ３の外周と該連結フランジ３の外周とに夫々設けたもので、これらロック表示７の位置を合わせることで水受け皿６の密封状態を示すように構成している（図３参照）。
【００２４】
更に、水受け皿６から前記植木鉢本体１の底部に開穿した水抜き孔９を貫通せしめる導水材１０を配設し、該水受け皿６からの底面給水を選択できるようにしている（図１参照）。尤も、導水材１０を使用せずに、上から水遣りすることも可能である。
【産業上の利用可能性】
【００２５】
本考案は、図示例に限定されるものではなく、植木鉢本体１や透明カバー２、水受け皿６などの構成は、本考案の要旨を変更しない範囲において自由に変更できるものである。また、透明カバー２を他のカバーに替えることも可能であり、例えば、色彩を変えたり、絵柄を付けたりしたカバーに交換することもできる。
【符号の説明】
【００２６】
Ｐ  写真
１  植木鉢本体
２  透明カバー
３  連結フランジ
４  密封フランジ
５  連結ネジ
６  水受け皿
７  ロック表示
８  除き窓
９  水抜き孔
１０  導水材
【図１】
0003157992.tif 000003
【図２】
0003157992.tif 000004
【図３】
0003157992.tif 000005
【手続補正書】
【提出日】平成21年12月25日(2009.12.25)
【手続補正１】
【補正対象書類名】実用新案登録請求の範囲
【補正対象項目名】請求項３
【補正方法】変更
【補正の内容】
【請求項３】
前記連結フランジの内周に連結ネジが形成され、該連結ネジにネジ止めする水受け皿を設け、該水受け皿の側面に水受け皿内部の水の量を確認する透明な除き窓を形成すると共に、該水受け皿の外周と前記連結フランジの外周とに夫々ロック表示を設け、これらロック表示の位置を合わせることで水受け皿の密封状態を示すように構成した請求項２記載の植木鉢。
【手続補正２】
【補正対象書類名】実用新案登録請求の範囲
【補正対象項目名】請求項４
【補正方法】変更
【補正の内容】
【請求項４】
前記水受け皿から前記植木鉢本体の底部に開穿した水抜き孔を貫通せしめる導水材を配設し、該水受け皿からの底面給水を選択自在とした請求項３記載の植木鉢。